(57)【要約】  長手方向及び横断方向に連続的な吸収性物品であって、前側弾性ベルト領域、後側弾性ベルト領域、股部領域、腰部開口部、及び２つの脚部開口部を備え、前側及び後側弾性ベルト領域は、不織布繊維で作製される内側シートと、不織布繊維で作製される外側シートと、前側及び後側弾性ベルト領域を横断方向に伸張させるように構成されている複数の弾性体と、を備える積層体であり、外側シートは、５００Ｐａで少なくとも約０．２５ｍｍの材料厚さを有し、物品は、トップシート、バックシート、及びトップシートとバックシートとの間に配置される吸収性コアを更に備え、吸収性コアは、股部領域の長手寸法全体を通して存在し、後側弾性ベルト領域内に少なくとも部分的に延在し、後側弾性ベルト領域は、本明細書における測定による最大厚さＭａｘＢＣ及び最小厚さＭｉｎＢＣを有し、ＭａｘＢＣとＭｉｎＢＣとの間の差が約５ｍｍ以下である、吸収性物品が開示される。
2020508146.tif 000002
【特許請求の範囲】
【請求項１】
長手方向及び横断方向に連続的な吸収性物品であって、前側弾性ベルト領域、後側弾性ベルト領域、股部領域、腰部開口部、及び２つの脚部開口部を備え、
前記前側及び後側弾性ベルト領域は、不織布繊維で作製される内側シートと、不織布繊維で作製される外側シートと、前記前側及び後側弾性ベルト領域を前記横断方向に伸張させるように構成されている複数の弾性体と、を備える積層体であり、前記外側シートは、５００Ｐａで少なくとも約０．２５ｍｍの材料厚さを有し、
前記物品は、トップシート、バックシート、及び前記トップシートと前記バックシートとの間に配置された吸収性コアを更に備え、前記吸収性コアは、前記股部領域の長手寸法全体を通して存在し、前記後側弾性ベルト領域内に少なくとも部分的に延在し、
前記後側弾性ベルト領域は、本明細書における測定による最大厚さＭａｘＢＣ及び最小厚さＭｉｎＢＣを有し、前記ＭａｘＢＣと前記ＭｉｎＢＣとの間の差が約５ｍｍ以下である、吸収性物品。
【請求項２】
前記ＭｉｎＢＣに対する前記ＭａｘＢＣ比が約２．２以下である、請求項１に記載の物品。
【請求項３】
前記ＭａｘＢＣが約８ｍｍ以下である、請求項１又は２に記載の物品。
【請求項４】
前記後側弾性ベルト領域は、本明細書における測定によると、約７ｍｍ以下の最大厚さデルタΔＭａｘＢＣを有する、請求項１〜３のいずれか一項に記載の物品。
【請求項５】
前記股部領域は、衣類に面する最側面に外側カバー層を備え、前記外側カバー層は前記外側シートと同じ材料である、請求項１〜４のいずれか一項に記載の物品。
【請求項６】
前記外側シートは、コア偏心複合フィラメント又はサイドバイサイド複合フィラメントから作製される捲縮性繊維から作製される、エアスルーカード不織布である、請求項５に記載の物品。
【請求項７】
前記吸収性コアは、実質的にセルロースを含まない吸収性層を備える、請求項１〜６のいずれか一項に記載の物品。
【請求項８】
前記物品は、コアシャーシと、前側ベルト及び後側ベルトを含む環状弾性ベルトと、を備え、前記前側ベルトの中心が前記コアシャーシの前側腰部パネルに接合され、前記後側ベルトの中心が前記コアシャーシの後側腰部パネルに接合され、前記コアシャーシの残部が前記股部領域を形成し、前記前側ベルト及び前記後側ベルトがそれぞれ、前記コアシャーシが重ならない左側サイドパネル及び右側サイドパネルを有し、前記前側ベルト及び前記後側ベルトの横断方向縁部がシームによって接合されて、腰部開口部及び２つの脚部開口部を形成し、前記前側ベルト及び前記後側ベルトは、前記長手方向において互いに不連続であり、
前記前側ベルト及び前記後側ベルトが前記弾性ベルト領域を形成する、請求項１〜７のいずれか一項に記載の物品。
【請求項９】
前記前側ベルトによってもたらされる力が、前記後側ベルトによってもたらされる力よりも大きい、請求項８に記載の物品。
【請求項１０】
前記前側ベルト及び前記後側ベルトはそれぞれ、前記横断方向に延びる前記複数の弾性体、前記内側シート、前記外側シート、及び外側シートの折り重なり部を有し、前記前側ベルト及び前記後側ベルトはそれぞれ、横断方向に連続する近位縁部及び遠位縁部を有し、前記外側シートの折り重なり部は、前記前側及び後側ベルトの前記遠位縁部で前記外側シートを折り畳むことによって形成される、前記外側シートの延伸部である、請求項８又は９に記載の物品。
【請求項１１】
前記前側ベルトは、一直線に、かつ横断方向に延びる近位縁部及び遠位縁部を有し、前記前側ベルトは長手方向長さＬＦを有し、前記後側ベルトは、一直線に、かつ横断方向に延びる近位縁部及び遠位縁部を有し、前記前側外側シートの折り重なり部が少なくとも約０．３ＬＦの長手方向長さを有し、好ましくは、前記後側外側シートの折り重なり部が前記前側外側シートの折り重なり部とほぼ同じ長さを有する、請求項１０に記載の方法。
【請求項１２】
前記コアシャーシは、前記衣類に面する最側面に前記外側カバー層と、前記外側カバー層の身体に面する表面に取り付けられるバックシートと、を備え、前記外側カバー層の前記長手方向長さは、前記股部領域の前記長手方向長さよりも長く、前記バックシートの前記長手方向長さよりも短く、前記外側カバー層が存在する前記前側腰部パネル又は前記後側腰部パネル上の区域が移行領域を形成し、好ましくは、前記移行領域の長手方向長さが約１０ｍｍ以下である、請求項８〜１１のいずれか一項に記載の物品。
【請求項１３】
前記弾性体は約４７０〜約１１００のｄｔｅｘを有する弾性ストランドであり、前記弾性ストランドの少なくとも一部が２〜４本の弾性ストランドの配列で、前記配列内に２〜４ｍｍの間隔を有して配置され、好ましくは前記配列は、
ａ）前記腰部開口部から０．５ＬＦ〜０．８５ＬＦの前記長手方向長さの間での前記前側ベルトと、
ｂ）前記腰部開口部から０．２５ＬＦ〜０．５ＬＦの前記長手方向長さの間での前記後側ベルトと、のうちの１つ又は両方の上に配置される、請求項８〜１２のいずれか一項に記載の物品。
【請求項１４】
前記コアシャーシ上に配置されていないベルトアートワークを更に備える、請求項８〜１３のいずれか一項に記載の物品。
【請求項１５】
前記コアシャーシ上に配置されているシャーシアートワークを更に備える、請求項１４に記載の物品。
【発明の詳細な説明】
【技術分野】
【０００１】
本発明は、腰部開口部から吸収性コアを有する領域へと滑らかに移行する弾性ベルト領域を有する吸収性物品に関する。
【背景技術】
【０００２】
乳幼児、及び失禁症状のあるその他の個人は、尿及び他の身体排出物を受容及び収容する吸収性物品（おむつなど）を着用する。プルオン型吸収性物品、すなわちパンツ型の吸収性物品は、着用者の両脚を脚部開口部に挿入し、物品を下部胴体あたりの位置まで上方に滑らせることによって着用される物品である。パンツ型の吸収性物品は、歩くことができて多くの場合トイレのトレーニング中の小児用としての、並びにテープ式吸収性物品をつけさせるのがより困難になりがちな、動きの激しくなった低年齢の小児用としての、また腰部開口部及び脚部開口部周辺の柔軟なフィット性を必要とする低年齢の乳児用としての使用に広く普及している。
【０００３】
パンツ型物品は、着用者又は養護者が物品を拡張し、物品を着用するために着用者の脚を脚部開口部内に挿入するのを容易にするのに、腰部開口部の周辺及びその近傍が十分な弾性を有する様々な構造をとることができる。腰部周辺及びその近傍の領域は、多くの場合、弾性ベルトと呼ばれる。パンツ型物品の構造の１つのタイプは、ＰＣＴ公開公報第ＷＯ２００６／１７７１８（Ａ）号に記載されるような、着用者の股部領域を覆う本体と、腰部開口部及び脚部開口部を画定する別個の弾性ベルトとを有する、ベルト型パンツである。パンツ型物品の構造の別のタイプは、物品の外側カバーが、物品の衣類に面する表面の全体を完全に覆うように構成され、胴体周りに伸張するように構成される部分が弾性ベルト領域と見なされる、一体型パンツである。
【０００４】
パンツ型物品の構造がどのようなものであっても、弾性ベルト領域は、使用時に着用者又は養護者によって最も触れられ観察される部分であり得て、したがって、その特性は物品の機能及び品質に最も関連し得る。機能について言えば、望まれ得るものは、容易に伸縮可能であり、快適でありながら信頼性の高いフィット性を提供し、十分な収容容量を提供する弾性ベルト領域である。品質について言えば、望まれ得るものは、下着のような一体的な外観及び感触である。下着のような外観及び感触を達成するための負の要因としては、例えば、吸収性コアの目立ちやすさが挙げられる。全体的に一体的な印象を達成するための負の要因としては、吸収性物品を形成する他の別個の部分の目立ちやすさを挙げることができる。
【先行技術文献】
【特許文献】
【０００５】
【特許文献１】ＰＣＴ公開公報第ＷＯ２００６／１７７１８（Ａ）号
【発明の概要】
【発明が解決しようとする課題】
【０００６】
上記に基づいて、フィット性又は収容容量を損なうことなく、改善された下着のような一体的な外観及び感触を有する吸収性物品に対する需要がある。
【課題を解決するための手段】
【０００７】
本発明は、長手方向及び横断方向に連続的な吸収性物品であって、前側弾性ベルト領域、後側弾性ベルト領域、股部領域、腰部開口部、及び２つの脚部開口部を備え、
前側及び後側弾性ベルト領域は、不織布繊維で作製される内側シートと、不織布繊維で作製される外側シートと、前側及び後側弾性ベルト領域を横断方向に伸張させるように構成されている複数の弾性体と、を備える積層体であり、外側シートは、５００Ｐａで少なくとも約０．２５ｍｍの材料厚さを有し、
物品は、トップシート、バックシート、及びトップシートとバックシートとの間に配置される吸収性コアを更に備え、吸収性コアは、股部領域の長手寸法全体を通して存在し、後側弾性ベルト領域内に少なくとも部分的に延在し、
後側弾性ベルト領域は、本明細書における測定による最大厚さＭａｘＢＣ及び最小厚さＭｉｎＢＣを有し、ＭａｘＢＣとＭｉｎＢＣとの間の差が約５ｍｍ以下である、吸収性物品に関する。
【図面の簡単な説明】
【０００８】
本明細書の末尾には、本発明を構成するものと見なされる主題を具体的に特定しかつ個別に特許請求する特許請求の範囲が添付されているが、本発明は、実質的に同一の要素が同様の符号を用いて指定されている添付の図面と以下の説明文を併せ読むことで、より良く理解されるものと考えられる。
【図１】本発明の吸収性物品の一実施形態の斜視図である。
【図２】シームが接合されておらず、平らな非収縮状態で衣類に面する表面を示す、本発明による吸収性物品の一実施形態の概略平面図である。
【図３】長手方向中心線に沿ってとられた図２の断面図である。
【図４】衣類に面する表面を示す、本発明の着用可能物品の一実施形態の部分概略平面図である。
【図５】「物品全体力測定法（Whole Article Force Measurement）」によるハンガー型の試料保持用固定具の一例の概略図である。
【図６】「３Ｄマクロスコープ測定法（3D Macroscope Measurement）」による試料調製の一例の概略図である。
【図７Ａ】衣類に面する表面を示す、本発明の着用可能物品の別の実施形態の概略平面図である。
【図７Ｂ】衣類に面する表面を示す、本発明の着用可能物品の別の実施形態の概略平面図である。
【図７Ｃ】衣類に面する表面を示す、本発明の着用可能物品の別の実施形態の概略平面図である。
【０００９】
定義
本明細書で使用するとき、以下の用語は後に指定される意味を有するものとする。
【００１０】
「吸収性物品」とは、パンツ、テープ式おむつ、失禁者用ブリーフ、女性の生理用衣類などの形態であり得る着用物品を指す。「吸収性物品」は、尿、大便、及び経血など、身体から排出される様々な排出物を吸収及び収容するようにも構成される。
【００１１】
「パンツ」とは、予め形成された腰部及び脚部開口部を有する使い捨て吸収性物品を指す。パンツは、着用者の両脚を脚部開口部に挿入し、着用者の下部胴体の周囲の位置までパンツを滑らせることによって着用され得る。パンツは、通常、「閉じられたおむつ」、「予め締結されたおむつ」、「プルオンおむつ」、「トレーニングパンツ」、及び「おむつパンツ」とも呼ばれる。
【００１２】
「長手方向」とは、物品の腰部縁部から反対側の腰部縁部まで実質的に垂直に、及び物品の最大直線寸法に一般に平行に延びる方向を指す。
【００１３】
「横方向」とは、長手方向と垂直な方向を指す。
【００１４】
「近位」及び「遠位」とはそれぞれ、物品の長手方向中心に対してより近い又はより遠い位置を指す。
【００１５】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（すなわち、要素又は表面が、使い捨て吸収性物品の上に着用され得る着用者の衣類に対して近位にある）ことを意味する。
【００１６】
「配置される」とは、要素が、ある特定の場所又は位置に置かれていることを指す。
【００１７】
「接合された」とは、１つの要素を他の要素に直接付着させることによって、その要素が別の要素に直接、貼り付けられている構成、及び要素を中間部材に付着させ、その中間部材が更に他の要素に貼り付けられていることによって、その要素が他の要素に間接的に貼り付けられている構成を指す。
【００１８】
「フィルム」とは、材料の長さ及び幅が材料の厚さを大きく上回るシート状材料を指す。一般的には、フィルムは約０．５ｍｍ以下の厚さを有する。
【００１９】
「透水性」及び「不透水性」は、使い捨て吸収性物品が所期の使用の状況における、材料の浸透性を指す。具体的には、用語「透水性」とは、層又は層構造体が、押し圧がない状態で、液体の水、尿又は合成尿が層又は層構造体の厚さを通過可能な、孔、開口部及び／又は相互に接続された空隙を有していることを指す。反対に、用語「不透水性」は、層又は層構造体が、（重力などの自然の力の他に）押し圧がない状態では、液体の水、尿又は合成尿が層又は層構造体の厚さを通過できないことを指す。この定義による不透水性の層又は層状構造は、水蒸気に対して透過性であってもよい、すなわち、「蒸気透過性」であってもよい。
【００２０】
「延伸性」及び「延伸可能な」とは、弛緩状態における構成要素の幅又は長さを延伸又は増大させることができることを意味する。
【００２１】
「伸縮性がある」又は「伸縮性を持たせた」とは、構成要素が弾性材から作製された少なくとも一部分を含むことを意味する。
【００２２】
「伸長性材料」、「延伸性材料」、又は「伸縮性材料」は互換的に使用され、付勢力を加えると、破裂又は破断することなく、ＥＤＡＮＡ法２０．２−８９で測定して弛緩した元の長さの少なくとも約１１０％の伸長した長さまで延伸でき（すなわち、元の長さよりも１０％長く延伸でき）、加えた力を除くと、完全に破裂又は破断することなく、その伸びの約２０％未満というわずかな回復を示す材料を指す。そのような伸長可能材料が、加えた力を解放した際に、その伸長量の少なくとも４０％回復する場合、その伸長可能材料は、「弾性」又は「エラストマー性」であると見なされる。例えば、１００ｍｍの初期長さを有する弾性材料は、少なくとも１５０ｍｍまで伸張することができ、力を取り除くと少なくとも１３０ｍｍの長さまで収縮する（すなわち、４０％の回復を示す）。加えた力を解放した際に、材料の回復が、その伸長量の４０％未満である場合、その伸長可能材料は、「実質的に非弾性」又は「実質的に非エラストマー性」であると見なされる。例えば、１００ｍｍの初期長さを有する伸長可能材料は、少なくとも１５０ｍｍまで伸張することができ、力を取り除くと少なくとも１４５ｍｍの長さまで収縮する（すなわち、１０％の回復を示す）。
【００２３】
「アートワーク」とは、印刷ないしは別の方法で提供され、色を有する、裸眼への視覚的表現を指す。印刷としては、リソグラフィ、スクリーン印刷、フレキソ、及びグラビアインクジェット印刷技術などの、当業者に周知の様々な方法及び装置が挙げられる。
【００２４】
本明細書において言及される、「色」又は「着色」とは、白色以外の任意の原色、すなわち、黒、赤、青、紫、オレンジ、黄、緑及び藍、並びに任意のそれらの淡色又は混合色を含む。白色は、ＣＩＥＬ＊ａ＊ｂ＊表色系による、少なくとも９４のＬ＊値、０±２に等しいａ＊値、及び０±２に等しいｂ＊値を有する色として定義される。
【発明を実施するための形態】
【００２５】
図１は、本発明の吸収性物品２０の一実施形態の斜視図であり、図２は、シームが接合されておらず、平らな非収縮状態で衣類に面する表面を見せている、同じ物品の概略平面図である。吸収性物品２０は、長手方向軸線としての役割も果たす長手方向中心線Ｌ１と、横断方向軸線としての役割も果たす横断方向中心線Ｔ１と、を有する。吸収性物品２０は、身体に面する表面、衣類に面する表面、前側領域２６、後側領域２８、股部領域３０、及びサイドシーム３２を有し、サイドシーム３２は、前側領域２６と後側領域２８とを接合して、２つの脚部開口部及び腰部開口部を形成する。吸収性物品２０は、着用者の股部領域を覆うコアシャーシ３８、前側ベルト８４及び後側ベルト８６（以下、「前側及び後側ベルト」と呼ばれ得る）を備えるベルト型パンツであってもよく、前側及び後側ベルト８４、８６は、横断方向に延在して腰部開口部を画定する別個の環状弾性ベルト４０（以下、「腰部ベルト」と呼ばれ得る）を形成する。ベルト型パンツについて、別個の環状弾性ベルト４０はまた、弾性ベルト領域４０とも呼ばれ得る。ベルト型パンツについて、前側及び後側ベルト８４、８６、並びにコアシャーシ３８は、共に脚部開口部を画定する。吸収性物品２０は、コアシャーシ３８が前側及び後側ベルト８４、８６と連続しており、脚部開口部が連続的に形成される、一体型パンツであってもよい。一体型パンツについて、サイドシームの間に存在するベルト部分は弾性ベルト領域４０と見なされ、弾性ベルト領域４０は、サイドシームの近位縁部の間で横断方向に延びる想像線によって終端すると見なされる。弾性ベルト領域４０を除く物品の残部は、股部領域３０と見なされる。
【００２６】
図３を参照すると、コアシャーシ３８は、トップシート、バックシート６０、及びトップシートとバックシート６０との間に配置される吸収性コア６２、並びに更にバックシート６０の衣類に面する側を覆うための外側カバー層４２を含む。トップシートは、透水性基材であってもよい。バックシート６０は、不透水性フィルムであってもよい。外側カバー層４２は不織布シートであってよい。コアシャーシ３８は、コアシャーシ３８上に配置された身体排出物を吸収及び収容するための吸収性コア６２と、吸収性コア６２の周辺部を囲む吸収性材料非存在領域６１とを含む。吸収性材料非存在領域６１は、トップシート及び／又はバックシート６０及び／又は外側カバー層４２及び／又はコアシャーシ３８を構成する他の部分から作製されてもよい。図２を参照すると、コアシャーシ３８は概ね長方形であり、長手方向に左右に延在する側縁部４８（以下、「側縁部」と呼ばれ得る）、及び横断方向に前後に延在する端縁部５０（以下、「端縁部」と呼ばれ得る）を有し得る。吸収性コア６２は、股部領域の長手寸法全体を通して存在し、後側弾性ベルト領域内に少なくとも部分的に延在する。又は、前側及び後側弾性ベルト領域内の両方に少なくとも部分的に延在する。コアシャーシ３８はまた、吸収性物品２０の前側領域２６内に位置付けられた前側腰部パネル５２と、後側領域２８内に位置付けられた後側腰部パネル５４と、股部領域３０内で前側及び後側腰部パネル５２、５４の間にある股部パネル５６と、を有する。前側ベルト８４の中心部はコアシャーシ３８の前側腰部パネル５２に接合され、後側ベルト８６の中心部はコアシャーシ３８の後側腰部パネル５４に接合され、前側及び後側ベルト８４、８６はそれぞれ、コアシャーシ３８が重ならない左側サイドパネル及び右側サイドパネル８２を有する。コアシャーシは、前側腰部パネル５２と後側腰部パネル５４との間に位置付けられた股部パネル５６を有する。前側及び後側ベルトは、長手方向において互いに不連続であってもよい。
【００２７】
吸収性コア６２は、吸収層及び捕捉層を含んでもよい。吸収性層は、超吸収性ポリマーなどの高い保持容量を有する吸収性材料が存在する領域である。吸収性層は、実質的にセルロースを含まなくてもよい。吸収性層の超吸収性ポリマーは、熱可塑性接着剤材料の繊維層によって不動化される第１及び第２の材料層の間に配置されてもよい。第１及び第２の材料層は、ＰＥ、ＰＥＴ、及びＰＰの単成分繊維、サイドバイサイド、コア／シース、又はアイランドインザシー型繊維などの多成分繊維などの合成繊維を含む、不織布繊維ウェブであってもよい。そのような合成繊維は、スパンボンドプロセス又はメルトブロープロセスを介して形成されてもよい。捕捉層は、身体排出物の捕捉及び分配を促進し、トップシートと吸収性層との間に配置され得る。捕捉層は、セルロース繊維を含んでもよい。
【００２８】
吸収性層は、吸収性コア６２内に複数配置されてもよい。吸収性層の一部は、チャネルを形成するために吸収性材料を実質的に有さないように構成されてもよい。チャネルは、吸収性コアが流体で膨潤すると屈曲することを可能として、吸収性物品が膨張後に着用者の身体にぴったり一致し、物品の弛みを防止するように、有用であり得る。チャネルはまた、捕捉層内に形成されてもよく、吸収性層のチャネルと厚さ方向に少なくとも部分的に一致するように構成されてもよい。
【００２９】
コアシャーシ３８の長手方向側縁部４８の近傍は、コアシャーシ３８から横断方向外側に延在する一対の外側カフに形成されてもよい。外側カフは、カフ材料によって部分的に作製されてもよく、カフ弾性部材を含んでもよい。コアシャーシ３８は、身体に面する側に向かって延在する一対の内側カフを更に含んでもよい。内側カフは、カフ材料によって部分的に作製されてもよく、カフ弾性部材を含んでもよい。
【００３０】
本発明の物品の弾性ベルト領域は、フィット力を動的に作り出すように、かつ着用中に動的に生じた力を分散させるように作用する。近位縁部９０は、コアシャーシ３８の股部パネル５６に対して、遠位縁部８８よりも近くに位置している。前側及び後側ベルト８４、８６は、側縁部８９のみにおいてシーム３２で互いに接合されて、腰部開口部及び２つの脚部開口部を有する吸収性物品を形成することができる。各脚部開口部は、脚部開口部の周囲に弾性を持たせてもよい。ベルト型パンツについて、脚部開口部の周囲の弾性は、前側ベルト８４、後側ベルト８６、及びコアシャーシ３８の任意の弾性の組み合わせによって、提供することができる。
【００３１】
バックシート６０及び外側カバー層４２の横断方向幅は、同じであっても、異なっていてもよい（図示せず）。例えば、バックシート６０は、外側カバー層４２の横断方向幅と比較して短い横断方向幅を有してもよい。このような構成により、脚部開口部の一部をなす股部パネル５６の長手方向側縁部４８は、より良好な通気性を有することができる。更に、このような構成は、コスト削減をもたらし得る。
【００３２】
前側ベルト８４及び後側ベルト８６は、ベルト４０に弾性を付与するように構成される。前側ベルト８４及び後側ベルト８６はそれぞれ、前側及び後側弾性ベルト領域を横断方向に伸張させるように構成される複数の弾性体９６と、内側シート９４と、外側シート９２と、外側シートの折り重なり部９３を備える積層体によって形成してもよく、外側シートの折り重なり部９３は、前側及び後側ベルトの遠位縁部８８で外側シート材料を折り畳むことによって形成される外側シート材料の延伸部であり、ベルト弾性体９６は、これらのシートのうちの２つの間に挟まれている。前側ベルト８４及び後側ベルト８６はそれぞれ、弾性体９６、内側シート９４、外側シート９２、及び外側のシート折り重なり部９３のみによって、作製されてもよい。ベルト弾性体９６は横断方向に延在して、前側ベルト８４及び後側ベルト８６が接合されると、環状弾性ベルト４０を提供してもよい。少なくともいくつかの弾性体９６は、横断方向に、互いに実質的に平行に延在している。全ての弾性体９６は、横断方向に、互いに実質的に平行に延在してもよい。かかる物品は経済的に作製することができる。前側及び後側ベルト８４、８６はそれぞれ、横断方向に連続する近位縁部及び遠位縁部を有することができ、近位縁部９０は、物品の長手方向中心に対して遠位縁部８８よりも近くに位置する。弾性体９６は、前側と後側との間で同じ又は異なるデニール、間隔、及び力、並びにベルトの異なる長手方向位置に配置されてもよい。
【００３３】
前側及び／又は後側ベルト８４、８６は、コアシャーシ３８の前側及び／又は後側腰部パネル５２、５４と重なり合う区域の特定部分の弾性が取り除かれるように処理されてもよい。前側及び／又は後側腰部パネル５２、５４の特定の区域から弾性を取除くことは、重複区域内の弾性が吸収性層又は吸収性コア６２内の層のいずれかの集群を引き起こし、コアシャーシ３８の着用者への緊密なフィット性を妨げるという、吸収性コア６２と重なり合う場合に有利であり得る。一実施形態では、少なくとも１つの、又は少なくとも半数の、又は少なくとも３分の２の弾性体の、少なくとも一部、又は少なくとも１０％、又は少なくとも２０％、又は少なくとも３０％の弾性が、コアシャーシ３８の前側及び後側腰部パネル５２、５４と重なる領域において取り除かれる。図２を参照すると、弾性体９６が吸収性コア６２と重なり合う区域全体では、前側ベルト８４のようにその弾性を取り除いてもよい。あるいは、バックベルト８６に見られるように、吸収性材料非存在領域６１に重なり、吸収性コア６２の遠位縁部に向かう弾性体９６は、コアシャーシ３８の良好なフィット性のために能動的に弾性的に配置されてもよい。これは漏れを防止するのに有利であり得る。
【００３４】
図２を参照すると、非収縮状態にある後側ベルト８６の横断方向幅ＬＷは、同じ状態の前側ベルト８４の横断方向幅と同じであってもよい。かかる物品は経済的に作製することができる。
【００３５】
後側ベルト８６の全幅ＬＷに沿った、後側ベルト８６の後側遠位縁部８８と後側近位縁部９０との間の長手方向長さＬＢは、前側ベルト８４の前側遠位縁部８８と前側近位縁部９０との間の長手方向長さＬＦとほぼ同じであってもよい。このような構成では、シーム３２は、前側及び後側ベルト８４、８６の同じ長さの側縁部８９を閉じて、物品を形成する。かかる物品は経済的に作製することができる。
【００３６】
後側ベルト８６は、横断方向における後側ベルト８６の全幅ＬＷに沿って、前側遠位縁部８８と前側近位縁部９０との間の前側ベルト８４の長手方向長さＬＦよりも長い、後側遠位縁部８８と後側近位縁部９０との間の長手方向長さＬＢを有することができる（図１及び図２）。このような構成では、吸収性物品が組み立てられて腰部開口部及び脚部開口部が形成されると、吸収性物品２０は、前側遠位縁部８８が後側遠位縁部８８と位置合わせされるように、横断方向中心線Ｔ１に沿って折り畳まれる。前側側縁部８９も後側側縁部８９の一部分と位置合わせされる。次に、前側ベルト８４及び後側ベルト８６が、前側及び後側側縁部８９においてシーム３２で接合される。しかしながら、前側及び後側近位縁部９０は互いに位置合わせされなくてもよい。後側近位縁部９０は、後側サイドパネル８２の近位部分が前側近位縁部９０を超えてコアシャーシ３８の股部パネル５６に向かって延在するように、横断方向中心線Ｔ１に対して長手方向に前側近位縁部９０よりも近くに配置されてもよい。後側側部パネル８２の近位部分の側縁部は、どこにも接合されず、付着されていなくてもよい。このようにして、後側側部パネル８２の近位部分は、図１に示すような臀部カバー９５を提供する。
【００３７】
弾性ベルト領域４０は、物品の機能及び品質に密接に関連する可能性があり、したがって、弾性ベルト領域４０を形成するための材料及び寸法は、物品の望ましさを提供するために製造業者によって慎重に選択される。非常に関心が高いのは、吸収性コア６２を、下着のような外観及び感触を提供するために可能なほど目立たなくする一方で、十分な収容容量をも維持することである。後側弾性ベルト領域８６の外観及び感触は、物品の全体での一体的な印象を使用者に表し得る。使用者は、着用者又は養護者であってもよい。図２を参照すると、ベルト型パンツについて、後側ベルト８６は後側弾性ベルト領域８６と一致するが、前側ベルトＬＦの長手方向長さに一致する長さのみが、以下の測定における試験区域と見なされる。理論に束縛されるものではないが、吸収性物品の全体での一体的な印象は、後側弾性ベルト領域８６の中央試験区域の最大厚さと最小厚さとの厚さの差を最小化することによってもたらされ得ると考えられる。すなわち、長手方向中心線Ｌ１に沿って物品の後側弾性ベルト領域８６の厚さを測定する本明細書における測定によると、本発明の吸収性物品の後側弾性ベルト領域８６の試験区域は、最大厚さＭａｘＢＣ、及び最小厚さＭｉｎＢＣを有し、ＭａｘＢＣとＭｉｎＢＣとの間の差が、約５ｍｍ以下、又は約３．５ｍｍ以下、又は約３ｍｍ以下である。更に、本発明の吸収性物品の後側弾性ベルト領域８６は、約２．２以下、又は約２以下、又は約１．７以下の、ＭｉｎＢＣに対するＭａｘＢＣの比を有してもよい。本発明の吸収性物品の後側弾性ベルト領域８６は、約８ｍｍ以下、又は約７ｍｍ以下のＭａｘＢＣを有してもよい。
【００３８】
理論に束縛されるものではないが、吸収性物品の全体での一体的な印象は、長手方向軸に沿った後側弾性ベルト領域８６の中央試験区域、及び中央試験区域から横断方向に８０ｍｍ離れている後側弾性ベルト領域８６の側部試験区域の厚さの差を最小化することによってもたらされ得ると考えられており、腰部開口部８８から同じ距離を有する中央試験区域と、側部試験区域とが比較される。長手方向中心線から横断方向に８０ｍｍ離れている側部試験区域は、通常、吸収性コア６２が存在しなくなった区域であり、したがって、後側弾性ベルト領域８６の厚さが、吸収性コア６２が存在する中央試験区域の厚さと比較して有意に低くなることが予期される領域を表す。本明細書における測定によると、腰部開口部８８から同じ距離を有する中央試験区域の厚さと側部試験区域との厚さが比較されて、厚さデルタを得る。このようにして得られた厚さデルタの中で、最大厚さデルタΔＭａｘＢＣが特定される。本明細書における測定によると、本発明のΔＭａｘＢＣは、約７ｍｍ以下、又は約６ｍｍ以下、又は約５ｍｍ以下である。
【００３９】
上述のようなベルト弾性ベルト領域８６の厚さプロファイル要件を満たしつつ、十分な収容容量も維持するために、ベルト弾性ベルト領域８６の積層体を作製するための材料は、高吸収性材料を利用して可能な限り薄いコアシャーシ３８を提供する一方で、接触に対して嵩高くすることができる。
【００４０】
弾性ベルト領域４０を形成するための外側シート９２は、嵩高い下着のような外観及び感触をもたらすために、例えば、少なくとも約０．２５ｍｍ、又は少なくとも約０．３ｍｍの特定の材料の厚さを有してもよい。外側シート９２に嵩高い感触をもたらすことは、後側ベルトの領域間の厚さの差の知覚を軽減することに更に寄与し得る。本明細書における材料の厚さは、以下の「厚さ及び坪量の調製」に従って最終製品から得られる材料に関連し、荷重を５００Ｐａに修正した、「基材厚さ法−ＡＳＴＭ  Ｄ  ６５４紙及び厚紙の厚さの標準試験方法」によって測定される。本発明の外側シート９２に好適なものとしては、コア偏心複合フィラメント又はサイドバイサイド複合フィラメントから作製される捲縮性繊維から作製される、高嵩不織布、エアスルーカード不織布、及びスパンボンド不織布、好ましくはエアスルーカード不織布が挙げられる。外側シート９２に好適な材料の非限定的な例としては、Ｄａｙｕａｎ（北京、中国）から入手可能な商標名ＦＪ２０６を有するものなどの、直径１５μｍ未満のＰＥ／ＰＥＴ複合短繊維から作製される２０〜５０ｇｓｍのエアスルーカード不織布が挙げられる。
【００４１】
内側及び外側シート９２、９４は同じ又は異なる材料であってもよく、得られる物品の望ましさに応じて、通気性、柔軟性、クッション感、嵩高さ、及びこれらの組み合わせなどの特性を提供するように選択されてもよい。内側及び外側シート９２、９４は、同じ又は異なる坪量、剛性、質感、又はこれらの任意の組み合わせを有してもよい。外側シート９２は、コストを制御しながら、上述のような好ましい触覚の支持をもたらすために、内側シート９４よりも高い坪量を有してもよい。
【００４２】
本発明の内側シート９４に好適なものとしては、１０〜４０ｇｓｍの柔軟な不織布、フィラメント添加スリップ剤を有するスパンボンド不織布、スパン高嵩不織布、又はエアスルーカード不織布、好ましくはスパン高嵩不織布が挙げられる。
【００４３】
外側カバー層４２の材料は、得られる物品の望ましさに応じて、通気性、柔軟性、クッション感、嵩高さ、及びこれらの組み合わせなどの特性を提供するように選択されてもよい。外側カバー層４２は、物品の一体的な美的感覚及び触覚を提供するために、外側シート９２と同じ材料で作製されてもよい。「同じ材料」とは、不織布が、２μｍ以下の形状、組成、直径差、及び２ｇｓｍ以下の坪量差において、同じ種類のフィラメントを有することを意味する。このような材料の比較は、以下に詳述するように、ＳＥＭ及びＦＴＩＲ測定によって材料を分析することによって行われる。本明細書における坪量は、以下の「厚さ及び坪量の調製」に従って最終製品から得られる材料に関連し、「坪量−ＡＳＴＭ  Ｄ  ７５６促進サービス条件下でのプラスチックの重量及び形状変化の判定の実行」によって測定される。
【００４４】
ベルト弾性領域によって与えられる力、又は前側ベルトに対して後側ベルトによって与えられる力は、ベルト弾性領域の柔軟性の知覚に影響を及ぼし得る。前側ベルトによって与えられる力は、後側ベルトによって与えられる力よりも大きいように構成されてもよい。
【００４５】
上述したように、コアシャーシ３８は、後側ベルト弾性領域８６の厚さプロファイル要件を満たすために、高吸収性材料を利用して可能な限り薄く作製されてもよい。
【００４６】
このようなコアシャーシ３８を提供するために、吸収性コア６２は、超吸収性ポリマーなどの高い保持容量を有し、実質的にセルロースを含まない吸収性材料を含む吸収性層を含んでもよい。超吸収性ポリマーは、吸収性コア６２の厚さを吸収性材料非存在領域６１付近の領域内でできるだけ低く保ち、腰部開口部から吸収性コア６２を有する領域への厚さの移行が突然ではなく漸進的であるように、排尿点付近の材料が坪量において高い一方で、他の区域ではより少ないように、分布においてプロファイルされてもよい。吸収性コア６２の捕捉層はまた、漸進的な厚さ移行プロファイルが吸収性材料非存在領域６１付近に作製されるようにプロファイルされてもよい。捕捉層の遠位縁部は、超吸収性ポリマー存在領域の遠位縁部よりも近位であってもよい。すなわち、超吸収性ポリマー存在領域は、吸収性コア６２の長手方向周辺部に一致し得るため、したがって捕捉層の長手方向周辺部を越えて延在してもよい。
【００４７】
アートワークの有効な使用はまた、物品の全体での一体的な印象を与えること、及び吸収性物品を形成する別個の部品の外観を和らげることにも寄与し得る。図４及び図７Ａ〜図７Ｃを参照すると、本発明の物品は、コアシャーシ３８上に配置されているシャーシアートワーク３０Ａと、コアシャーシ３８上に配置されていないベルトアートワーク４０Ａとを有してもよい。魅力的なアートワークを経済に提供するために、シャーシアートワーク３０Ａは、バックシート６０の衣類に面する側に印刷されてもよい。しかしながら、このようなシャーシアートワーク３０Ａは、腰部開口部又は脚部開口部の近傍まで延在しない場合がある。腰部開口部及び脚部開口部は、下着が、通常、腰部開口部及び脚部開口部の縁部に配置された弾性体、弾性体のパイピング、レースなどのいくつかの視覚的なアクセントを有する区域である。このように、シャーシアートワーク３０Ａに加えて、ベルトアートワーク４０Ａが提供されてもよい。ベルトアートワーク４０Ａは、所定の形状の着色ウェブを配置することによって、又は着色弾性体若しくは接着剤を所望の領域に配置することによって、弾性ベルト４０を作製するためのシート９２、９４上に印刷することで提供されてもよい。シャーシアートワーク３０Ａとベルトアートワーク４０Ａとの組み合わせ及び調整により、下着と同様の外観が提供されてもよい。例えば、図４では、ベルトアートワーク４０Ａによって腰部端部の着色が提供され、脚部開口部の着色は、ベルトの近位縁部に向かうベルトアートワーク４０Ａと、横断方向側縁部に向かうシャーシアートワーク３０Ａとの組み合わせによって提供され、キャラクターがシャーシアートワーク３０Ａによって物品の中央に描かれる。図７Ａ〜図７Ｃに示すように、互いに調整されて包括的な一体外観を提供するために、ベルトアートワーク４０Ａからのものと類似するシャーシアートワーク３０Ａからくるグラフィカル要素が存在してもよい。これらのグラフィカル要素としては、形状、パターン、色、及びこれらの組み合わせが挙げられるが、これらに限定されない。例えば、図７Ａ〜図７Ｃでは、シャーシアートワーク３０Ａ及びベルトアートワーク４０Ａの両方からダイヤモンド形状要素及びクマのようなキャラクターが提供されており、一体的な外観を協働的に提供する。
【００４８】
図３を参照すると、ベルト型パンツについて、前側及び後側ベルト８４、８６が、股部領域３０において互いに不連続である場合、外側カバー層４２は、股部領域３０において衣類に面する表面である。外側カバー層４２は、前側腰部パネル５２及び後側腰部パネル５４の長手方向に部分的のみに延在して、前側腰部パネル５２及び後側腰部パネル５４の遠位部が外側カバー層４２を含まないままにすることができる。すなわち、外側カバー層４２の長手方向長さは、股部パネル５６の長手方向長さよりも長くてもよく、かつ、バックシート６０の長手方向長さよりも短くてもよい。このような構成によって、前側腰部パネル５２及び後側腰部パネル５４の遠位部には外側カバー層４２が存在せず、弾性ベルト領域４０のこの領域における厚さの突然の増加を回避することに更に寄与する。このような構成はまた、物品全体により良好な通気性、及び外側カバー層４２の材料のコスト削減も提供することができる。したがって、図３の中央シャーシ３８の衣類に面する表面とバックシートとの間の要素の層を見ると、外側カバー層４２が存在する場合、腰部パネル５２上に配置される移行領域３４が存在する。移行領域３４の長手方向長さは、可能な限り短く、例えば、約２０ｍｍ未満、又は約１５ｍｍ未満、又は約１０ｍｍ未満で作製されてもよい。更に、接着剤は、移行領域３４の区域全体上に、又は移行領域３４の遠位縁部から長手方向に最大５ｍｍ以下を残して区域全体に塗布されてもよい。吸収性物品に魅力的なアートワークを経済的に提供するために、印刷をバックシート６０の衣類に面する側に施し得る。移行領域３４を可能な限り短く提供すること、移行領域３４に接着剤を塗布して透明性を向上させること、又は単純に移行領域３４内にアートワークの表示を回避することによって、アートワークと観察者との間の異なる材料の層の上のアートワークの妥協した外観が回避され得る。したがって、全体での一体的な印象を向上させることができる。
【００４９】
図２〜図４を参照すると、ベルトアートワーク４０Ａは、内側シート９４の衣類に面する表面又は外側シート９２の身体に面する表面上に印刷されてもよく、シャーシアートワーク３０Ａはバックシート６０上に印刷されてもよい。シャーシアートワーク３０Ａは、前側シャーシアートワーク領域４０Ｆ又は後側シャーシアートワーク領域４０Ｂに印刷されてもよい。これらの特定の層及び特定のアートワーク領域にアートワークを印刷することによって、衣類に面する表面と、ベルトアートワーク４０Ａ及びシャーシアートワーク３０Ａの印刷との間の層の数を等しくすることができ、したがって外観の相違を和らげることができる。外側シート９２と外側カバー層４２との不透明度の差は、不透明度が一致するように層を選択することによって、又は同じ材料を配置することによって、最小化することができる。
【００５０】
上述したように、前側ベルトは、長手方向長さＬＦを有してもよく、後側ベルトは、長手方向長さＬＢを有してもよく、外側シートの折り重なり部９３は、外側シート材料を前側及び後側ベルトの遠位縁部８８で折り畳むことによって形成される。前側の外側シートの折り重なり部９３は、少なくとも約０．３ＬＦ、又は約０．３ＬＦ〜約０．７ＬＦ、又は約０．５ＬＦ〜約０．７ＬＦの長手方向長さを有してもよい。後側の外側シートの折り重なり部は、前側外側シートの折り重なり部の長さと一致する長手方向長さを有することができる。すなわち、後側の外側シートの折り重なり部は、前側の外側シートの折り重なり部とほぼ同じ長さを有することができる。
【００５１】
上述したように、弾性ベルト領域４０は、前側及び後側弾性ベルト領域を横断方向に伸張させるように構成される複数の弾性体９６によって弾性を呈し、弾性体９６は、内側及び外側シート９２、９４に接着されている。弾性ベルト領域４０の引張り応力は、次の方法のうちの１つ以上によって調節され得る。１）弾性体９６の伸び率、２）弾性体９６の密度（ｄｔｅｘ）、３）複数の弾性体９６の長手方向間隔、及び４）弾性体９６の横断方向における弾性の有効長さ。伸び率について言えば、「０％の伸び率」とは、弾性体９６の長さが元の長さであることを意味する。いくつかの弾性体は、特定の領域においてより高い引張り応力を付与するように配置されてもよい。より高い引張り応力がかかるこのような１つ以上の弾性体は、２〜４本の弾性ストランドの配列で、配列内に２〜４ｍｍの間隔を有して配置されてもよい。配列は、腰部開口部から約０．５ＬＦ〜約０．８５ＬＦの長手方向長さの間の前側ベルト上に配置されてもよい。配列は、腰部開口部から約０．２５ＬＦ〜約０．５ＬＦの長手方向長さの間の後側ベルト上に配置されてもよい。
【００５２】
本発明の物品は、腰部開口部から吸収性コアを有する領域への後側ベルトの滑らかな移行、物品の後側での均一な厚さの知覚を提供し、これらが腰部の周辺が柔軟である知覚、下着のようなフィット性、全体的な柔軟性、及び全体的な製品品質をもたらし得る。
【００５３】
１．厚さ及び坪量の調製
最終製品で使用される材料の厚さ及び坪量を測定するために、以下の試料採取手順がとられる。
【００５４】
最終物品から試料を採取するために、入手可能な場合、変形又はしわを含まない区域が選択される。ベルト弾性領域４０について、入手可能な場合、弾性が不活性化される区域が選択される。外側シート９２、内側シート９４、又は外側カバー層４２は、「Ｑｕｉｋ−Ｆｒｅｅｚｅ（登録商標）」タイプコールドスプレーを適用する技術、又は不織布組成物の特性を恒久的に変化させない他の好適な方法によって、ベルト積層不織布層又はバックシートフィルムなどの他の構成要素から分離される。技術面側は、外側シート９２又は外側カバー層４２の衣類に面する表面、及び内側シート９４の身体に面する表面として使用されることが意図される表面である。分離プロセス中、不織布組成物の伸張を防止するために注意を払わなければならない。試料を得るために、１００ｍｍ×１００ｍｍの正方形形状を、カッター及び１００ｃｍ２のダイを使用して切り出す。
【００５５】
坪量を測定するために、テトラヒドロフラン（ＴＨＦ）を溶媒として使用する以下の工程によって、任意の残りの接着剤を試料から除去する。
１．フード内で、１リットルのＴＨＦを、３〜４リットルのビーカーに移す。
２．試料を１リットルのＴＨＦ中に浸漬する。
３．ビーカーを振盪テーブル上に置き、１５分間穏やかに撹拌し、試料を有する溶液を更に５分間静置する。
４．ＴＨＦ溶液から試料を取り出し、試料からＴＨＦ溶液を注意深く圧搾する。
５．フード内で、試料を最低１５分間空気乾燥させる。
【００５６】
試料を、同一パッケージからの１０個の最終製品から得て、各測定セットについて、各物品の同じ区域から切り出す。試料を、少なくとも試験２時間前から、約２３±２℃及び相対湿度約５０±５％に維持された室内で前調整する。
【００５７】
２．ＭａｘＢＣ及びＭｉｎＢＣ
２−１．物品全体力測定法
ＴｅｓｔＷｏｒｋｓ  ４  Ｓｏｆｔｗａｒｅ（ＭＴＳ  ＳＹＳＴＥＭＳ（ＣＨＩＮＡ）ＣＯ．，ＬＴＤから入手可能）を実行するＭＴＳ  Ｃｒｉｔｅｒｉｏｎ  Ｃ４２などのコンピュータインターフェースを備えた電子引張試験機、又は同等の機器を使用して、力を測定する。試験される試料に対する力の結果が、使用されるロードセルの能力の１０％〜９０％になるように、ロードセルを選択する。機器は、メーカーの指示書に従って較正する。全ての試験は、２３±２℃、相対湿度５０±５％に維持された室内で行う。
【００５８】
引張試験機に、図５に示されるような、ハンガー型の試料保持固定具３００を装着する。各固定具は、試験中に試料が滑るのを防ぐために、剛性で直線状の、ゴムでコーティングされた水平バー部分３０２を備える。水平バー部分のバーの外径（ゴムコーティングを含む）は１０．０ｍｍである。水平バー部分３０２の中心軸線は、試験手順全体を通して、平行なままで同じ垂直面内にあるように構成されている。基準周長は、次式によって決定される。
基準周長＝２×（Ｈ＋Ｄ＋πＤ／２）
式中、Ｈは水平バー部分３０２間の垂直方向ギャップ、Ｄはバーの外径である。
【００５９】
機器は、以下の工程をこなすように設定される。
【００６０】
【表１】
2020508146.tif 000003
【００６１】
バーが物品の腰部開口部及び一方の脚部開口部を通るように、試料物品２０を上側の水平バー部分３０２上に挿入する。試験片が下側のバーの上方でぶら下がり、下側のバー３０２に触れなくなるまで、クロスヘッドを持ち上げる。ロードセルの風袋を差し引き、物品を伸張させずに下側のバー３０２を腰部開口部及び他方の脚部開口部に挿通させることができるように、クロスヘッドを下降させる。物品を調節して、物品の長手方向中心線Ｌ１が上側及び下側のバー３０２の真ん中で水平面内にあるようにする。バー３０２と接触している側部部分の中心が、機器のロードセルと同じ垂直軸線上に位置するようにする。物品を必要に応じて手で適所に保持しつつ、不要な力が加わらないように注意しながら、力が０．０５〜０．１Ｎになるまでクロスヘッドをゆっくり持ち上げる。この時点での基準周長が初期基準周長である。試験を開始し、１９．６Ｎの力が得られるまでクロスヘッドを２５４ｍｍ／分で上に移動させ、次いで同じ速度でクロスヘッドをすぐに初期基準周長に戻す。１９．６Ｎでの最大周長、及び試験の延伸セグメント中に７０％伸張時周長になったときの力を記録する。
周長（ｍｍ）＝２×（Ｈ＋Ｄ＋πＤ／２）
【００６２】
１９．６Ｎでの最大周長が全周長（ｍｍ）として定義される。７０％伸張時周長は、全周長×０．７として定義される。５つの試料を分析し、その７０％伸張時周長の平均を計算し、１ｍｍ単位で報告する。
【００６３】
２−２．３Ｄマクロスコープ測定法
この測定のための試料を得るために、物品のサイドシーム３２を開き、図６に示すように、後側弾性ベルト領域８６は、フック材又は両面テープ材料によって、３１０ｍｍ×１１０ｍｍの非透明背板３０１の表面上に取り付けられる。背板３０１の３１０ｍｍ長さは乳児用おむつに好適であるが、物品の後側弾性ベルト領域８６をしっかりと取り付けるために更に延ばすことができる。取り付け時、試料の後側弾性ベルト領域８６は、上記「物品全体力測定法」で得られた７０％伸張時周長の平均の５０％まで伸張される。試料の衣類に面する表面が背板３０１に面している。背板３０１の上側縁部と物品の後側ベルト遠位縁部８８との間の距離は、２０ｍｍに調整される。
【００６４】
最大厚さＭａｘＢＣ及び最小厚さＭｉｎＢＣを得るために、試料の横断方向中心が背板３０１に取り付けられる。測定されるものは、ＶＲ−３０００シリーズソフトウェアを実行するキーエンス社製ＶＲ−３２００、又は同等の機器などのコンピュータインターフェースを有する３Ｄマクロスコープを使用して撮影された画像上に設定された基準区域と他の区域との間の高さの差である。ＶＲ−３０００シリーズソフトウェアを開始し、ビューワーアプリケーションを選択する。観察及び測定のために、試料が取り付けられた３１０ｍｍ×１１０ｍｍのアクリル板を、３ＤマイクロスコープのＸＹステージ上に置く。機器は、以下の工程をこなすように設定される。
【００６５】
【表２】
2020508146.tif 000004
【００６６】
長手方向中心線Ｌ１に沿った試料物品の厚さプロファイルは、以下の等式によって決定され、式中、「ｎ」は、指定された試験区域である。
試料厚さｎ＝平均段差試験面積−ｎ−平均段差基準区域
【００６７】
以下のように、平均段差測定窓に表示される画像の測定位置における基準区域と比較区域を設定する。試験区域は、後側ベルト遠位縁部８８で始まり、サイドシームの近位縁部の間を横断方向に延びる想像線で終わる。図６に示すように、後側ベルト８６が前側ベルト８４より長い場合、試験区域は前側ベルト８４の長手方向長さＬＦと一致する。以下の実施例では、後側弾性ベルト領域８６の長手方向長さＬＢは１２０ｍｍであるが、試験区域ＬＦは１００ｍｍであった。図６は、コアシャーシ及び前側ベルト８４が平坦な非収縮状態にあるかのように示されているが、これは単に寸法ＬＦ及びＬＢを説明するためのものである。後側弾性ベルト領域８６を除いて、試料物品の残部は、測定時に伸張される必要はない。
【００６８】
【表３】
2020508146.tif 000005
【００６９】
５つの試料を計算し、１０個の選択された区域の試料厚さを０．１ｍｍ単位で報告する（以下、「中央試験区域厚さ」）。中央試験区域の中で、５つの試料の平均から得られた最大「試料厚さ」が、最大厚さＭａｘＢＣであり、５つの試料の平均から得られた最小「試料厚さ」が、最小厚さＭｉｎＢＣである。
【００７０】
最大厚さデルタΔＭａｘＢＣを得るために、図６に示すように、試料は、長手方向軸から８０ｍｍ離れる部分が背板３０１の中心と一致し、背板３０１の上側縁部と、物品の後側ベルト遠位縁部８８との間の距離が２０ｍｍに調整されて、背板３０１に取り付けられる。測定されるのは、上記と同じ条件を使用して、側部試験区域内の基準区域と他の区域との間の高さの差である。
【００７１】
５つの試料を計算し、１０個の選択された区域の試料厚さを０．１ｍｍ単位で報告する（以下、「側部試験区域厚さ」）。５つの試料の側部試験区域の厚さはそれぞれ、各側部試験区域について平均化される。平均側部試験区域厚さは、遠位縁部８８から同じ距離の平均中央試験区域厚さから減算される。このように得られた値の中で、最大絶対値は最大厚さデルタΔＭａｘＢＣである。
【００７２】
走査型電子顕微鏡（ＳＥＭ）及びフーリエ変換赤外分光法（ＦＴＩＲ）試験
３−１．試料の調製
不織布原材料試料を得るために、技術面を上にしてベンチ上に材料を平らに置き、はさみを使用して２０ｍｍ（機械方向に沿って）×２０ｍｍ（機械方向に対する垂直方向）の正方形形状の試料を切り出す。技術面は、外側シート９２又は外側カバー層４２の衣類に面する表面、及び内側シート９４の身体に面する表面として使用されることが意図される表面である。
【００７３】
最終物品から試料を得るために、外側シート９２及び内側シート９４は、「Ｑｕｉｋ−Ｆｒｅｅｚｅ（登録商標）」タイプコールドスプレーを適用する技術、又は不織布組成物の特性を恒久的に変化させない他の好適な方法によって、ベルト積層不織布層、又はバックシートフィルムなどの他の構成要素から分離される。技術面は、外側シート９２又は外側カバー層４２の衣類に面する表面として使用される表面である。ベルト弾性領域の弾性が不活性化される区域が好ましい。試料を得るために、２０ｍｍ×２０ｍｍの正方形形状を、はさみを使用して切り出す。２０ｍｍ×２０ｍｍより小さい弾性ベルト領域内に不活性化区域を有する物品については、はさみを使用して２０ｍｍ×２０ｍｍの正方形形状が切り出され、弾性体は、「Ｑｕｉｋ−Ｆｒｅｅｚｅ（登録商標）」タイプコールドスプレーを適用する技術、又は不織布組成物の特性を恒久的に変化させない他の好適な方法によって、試料から分離される。測定のために、５つの試料を、同じパッケージからの最終製品の同じ部分から切り出す。
【００７４】
３−２．走査型電子顕微鏡（ＳＥＭ）
走査型電子顕微鏡画像は、日立製３Ｄビューワーソフトウェアを実行する日立製ＴＭ３０００卓上顕微鏡、又は同等の機器を使用して撮影される。２０ｍｍ×２０ｍｍの試料を液体窒素中に浸漬し、縁部をかみそり刃（ステンレス鋼コーティング、片刃工業用ブレード、６２−０１６５）で破砕する。破砕された試料を、両面Ｃｕテープを使用してＳＥＭマウントに接着する。試料は、スパッタ法によってＡｕコーティングし、ＳＥＭで観察する。ＳＥＭ画像は、上面図及びＸ断面図から取得される。繊維直径及び幅の測定は、ＳＥＭ動作ソフトウェアの手動ラインツールを使用して行われる。
【００７５】
３−３．フーリエ変換赤外分光法（ＦＴＩＲ）
上述のようなＳＥＭ画像に基づいて、材料の構造を観察する。一成分繊維から作製される試料については、全ての測定は、以下の条件下でＦＴＩＲ−ＡＴＲによって行われる。測定を行うのに、（ＡＴＲ結晶を被覆するのに十分な）試料で十分である。ＡＴＲ圧力アームを使用して、試料の上部に適切かつ一貫した圧力を印加する。
【００７６】
【表４】
2020508146.tif 000006
【００７７】
シース−コア、サイドバイサイド構造などの、混合繊維又は多成分繊維から作製される試料については、混合繊維中の各種類の繊維又は多成分繊維の各別個の部分を理解することを目的として、いくつかの繊維は、実体鏡下で各試料から分離され、以下の条件下でマイクロ−ＩＲによって測定されるべきダイヤモンドセルによって押しつぶされる。材料識別は、ＫｎｏｗＩｔＡｌｌインフォマティクスシステム、又は他の参照スペクトルライブラリを使用して行われる。
【００７８】
【表５】
2020508146.tif 000007
【実施例】
【００７９】
このようにして得られた、パンツ型吸収性物品の構造を有する実施例Ａ〜Ｆは、上述のような測定、及び下記に記載の消費者支持試験に供される。
【００８０】
実施例Ａ：図２の構成及び以下の表１の弾性プロファイルを有する、ロット番号ＳＲＢオプション３、２１０４  ２０１６  ６  １１２  ４４９９を有するサイズ４のベルト型パンツ物品であって、外側シート及び外側カバー層はＤａｙｕａｎ（北京、中国）から入手可能な商標名ＦＪ２０６（直径１５μｍのＰＥ／ＰＥＴ複合繊維を有する２０ｇｓｍのエアスルーカード不織布）によって作製され、内側シートはＦｉｂｅｒｔｅｘから入手可能な商標名ＨＹ１５０１５−ＭＡＬＡＹＳＩＡ−Ｖ２（１５ｇｓｍのＰＰスパンボンド不織布）によって作製されている。吸収性コアは、実質的にセルロースを含まない吸収性層を含む。バックシート上に印刷されたシャーシアートワーク３０Ａ及び外側シート９２上に印刷されたベルトアートワーク４０Ａの両方が存在する。
【００８１】
実施例Ｂ：外側シートがＦｉｂｅｒｔｅｘから入手可能な二重の１７ｇｓｍのＰＥ／ＰＰ複合スパンボンド不織布によって作製されることと、外側カバー層がＰｅｇａｓから入手可能な溶融添加剤を有する２５ｇｓｍのＰＰスパンボンド不織布によって作製されることを除いて、実施例Ａと同じ構成を有する、ロット番号ＳＲＨ、２００４２０１６６  １１１  ４４９９７９を有するサイズ４のベルト型パンツ物品。バックシート上に印刷されたシャーシアートワーク３０Ａは存在するが、ベルトアートワーク４０Ａは存在しない。
【００８２】
実施例Ｃ：２０１６年１１月に中国Ｅ−ｃｏｍ店によって購入された、「Ｈｕｇｇｉｅｓ  Ｐｌａｔｉｎｕｍ  Ｐａｎｔｓ」の商標名により販売されている、ロット番号２０１６０９１７を有するサイズ４の一体型パンツ物品。バックシート上に印刷されたシャーシアートワーク３０Ａは存在するが、ベルトアートワーク４０Ａは存在しない。
【００８３】
実施例Ｄ：２０１６年１１月に中国Ｅ−ｃｏｍ店によって購入された、「Ｍｅｒｒｉｅｓ  Ｐａｎｔｓ」の商標名により販売されている、ロット番号２０１６０３２９を有するサイズ４の一体型パンツ物品。バックシート上に印刷されたシャーシアートワーク３０Ａは存在するが、ベルトアートワーク４０Ａは存在しない。
【００８４】
実施例Ｅ：２０１６年１１月に中国Ｅ−ｃｏｍ店によって購入された、「Ａｎｅｒｌｅｓ  Ｇｏｌｄ  Ｐａｎｔｓ」の商標名により販売されている、ロット番号２０１６０５２０を有するサイズ４のベルト型パンツ物品。バックシート上に印刷されたシャーシアートワーク３０Ａは存在するが、ベルトアートワーク４０Ａは存在しない。
【００８５】
実施例Ｆ：２０１５年１０月〜１２月に中華人民共和国内で購入された、「Ｍｅｒｒｉｅｓ  Ｐａｎｔｓ」の商標名により販売されている、ロット番号２０１５０２２２を有するサイズ４の一体型パンツ物品。バックシート上に印刷されたシャーシアートワーク３０Ａは存在するが、ベルトアートワーク４０Ａは存在しない。
【００８６】
【表６】
2020508146.tif 000008
（＊１）表１の腹部カットとは、弾性ストランドの中央区域での弾性の除去を指し、中央シャーシ３８と重なり、弾性の６６％の有効長をもたらす。
【００８７】
【表７】
2020508146.tif 000009
【００８８】
消費者支持試験
試験１
１日当たり最低３パッドの頻度でサイズ４のパンツ型おむつを使用し、主要ブランド「Ｍｅｒｒｉｅｓ」、「Ｈｕｇｇｉｅｓ  Ｃｏｌｄ」、及び「Ｐａｍｐｅｒｓ」の使用経験の組み合わせを有する、乳児の養護者である３０人の官能試験員が募集された。男児及び女児の養護者の数は等しくされた。各官能試験員には、表にある全体で９つの試験製品を与えられた。９つの試験製品の中に、実施例Ａ、Ｂ、Ｅ、及びＦが含まれていた。官能試験員は、表の各質問について９つの製品をスケール１〜１０に分けるように依頼された。３０人の官能試験員の評点を、表３にあるように報告のために平均化した。（実施例Ａ、Ｂ、Ｅ、及びＦを除く９つの製品の残りは、上記の実施例リストに記載されていないものであって、「Ｈｕｇｇｉｅｓ  Ｇｏｌｄ  Ｐａｎｔｓ」、「Ｈｕｇｇｉｅｓ  Ｓｉｌｖｅｒ  Ｐａｎｔｓ」、「Ｍａｍｍｙ  Ｐｏｋｏ  Ｐａｎｔｓ」、「Ａｎｅｒｌｅｓ  Ｓｉｌｖｅｒ  Ｐａｎｔｓ」、及び「Ｇｏｏｎ  Ｐａｎｔｓ」であり、全て２０１５年１０月〜１１月に中華人民共和国内で購入された。）試料は、以下のように異なるロット番号を有していた。試料Ａ：手作りのプロトタイプＥＵＳ−０６９−１４  Ｏｐｔ１２、試料Ｂ：ＥＵＳ−０６９−１４、ＳＲＬ  Ｏｐｔ１０、及び試料Ｅ：男児用２０１７１０２５、女児用２０１７１０２０。
【００８９】
【表８】
2020508146.tif 000010
【００９０】
上記表２の実施例Ｄは、表３の実施例Ｆの更新された製品である。構造の類似性の観点からは、実施例Ｆの厚さプロファイルは、実施例Ｄのそれと非常に類似していると考えられる。
【００９１】
試験２
１日当たり最低３パッドの頻度でサイズ４のパンツ型おむつを使用し、主要ブランド「Ｍｅｒｒｉｅｓ」、「Ｈｕｇｇｉｅｓ  Ｐｌａｔｉｎｕｍ」、「Ｍｏｏｎｙ」、「Ｇｏｏｎ」、及び「Ｐａｍｐｅｒｓ」の使用経験の組み合わせを有する、乳児の養護者である２グループの回答者（それぞれ、８７人及び３０人）が募集された。各官能試験員には、順次使用する２種類の試験製品、試料Ａ＆Ｄ（半数が最初にＡを使用し、半数が最初にＤを使用した）、又は試料Ａ＆Ｂ（半数が最初にＡを使用し、半数が最初にＢを使用した）のいずれかが与えられた。使用後、官能試験員は、各質問について試験製品を０〜１００のスケールで評価するように依頼された。使用された２つの製品の評点を、表４にあるように報告のために平均化した。試料は、以下のように異なるロット番号を有していた。２０１６年１０月〜１１月に中華人民共和国内で購入された、試料Ａ：２０１７０４２５、試料Ｂ：２０１６１２０６、及び試料Ｄ：２０１６０４０２。
【００９２】
【表９】
2020508146.tif 000011
（＊２）１０％のリスクでの統計的有意性
【００９３】
試験１では、本発明のパラメトリック要件を満たす本発明の実施例Ａは、「全体的な好み」への高い支持、及び「下着風」への最も高い支持を有する一方、本発明のパラメトリック要件を満たさない他の実施例は、消費者支持において、少なくともいくつかの側面において、わずかから有意に劣る。試験２では、本発明の実施例Ａは、実施例Ｂ及びＤそれぞれと比較して、より高い総合評価を有し、「おむつパンツの後部の均一な厚さ」の観点から、両方の実施例よりも有意に良好な支持を得ている。更に、実施例Ｄとの比較の観点より、本発明の実施例Ａは、「下着のようなフィット性」、「高品質」、及び「全体的な柔軟性」という観点から、有意に良好な支持を得ている。本発明のパラメータは、物品によって提供される触覚及び美的感覚の観点から、消費者支持の良好な予測可能性を提供する。
【００９４】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図され、更に本明細書を通して与えられる全ての数値範囲は、そのようなより広い数値範囲内に収まるあらゆるより狭い数値範囲を含む。
【００９５】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００９６】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020508146.tif 000012
【図２】
2020508146.tif 000013
【図３】
2020508146.tif 000014
【図４】
2020508146.tif 000015
【図５】
2020508146.tif 000016
【図６】
2020508146.tif 000017
【図７Ａ】
2020508146.tif 000018
【図７Ｂ】
2020508146.tif 000019
【図７Ｃ】
2020508146.tif 000020
【国際調査報告】
2020508146.tif 000021
2020508146.tif 000022
2020508146.tif 000023